(57)【要約】【課題】  一枚のシートより構成されたポケット把手式シート団扇を提供する。【解決手段】  可撓性シートからなる本体下部に、上方に向け開口部を設けたポケット状の把手を設け、把手の上辺に挿入舌を設け、本体に挿入孔を設け、挿入孔に挿入舌を挿入することにより湾曲した本体形状を固定し、且つ立体的に組み上がる把手部を特徴とするポケット把手式シート団扇。【選択図】図１
2010035997.tif 000002
【特許請求の範囲】
【請求項１】
可撓性シートからなる本体下部に、上方に向け開口部を設けたポケット状の把手を設け、把手の上辺に挿入舌を設け、本体に挿入孔を設け、挿入孔に挿入舌を挿入することにより湾曲した本体形状を固定し、且つ立体的に組み上がる把手部を特徴とするポケット把手式シート団扇。
【請求項２】
可撓性シートからなる本体に複数の折目を設け、封筒状に折り畳み可能な構造としたことを特徴とする請求項１のポケット把手式シート団扇。
【発明の詳細な説明】
【技術分野】
【０００１】  本発明は一枚のシートより構成されたポケット把手式シート団扇に関するものである。
【背景技術】
【０００２】  従来の団扇としては、竹、又は樹脂製の骨組に紙を貼ったものが一般的である。
なお、円形の厚紙に円形の指通し穴を設けたものが知られており、そのほか、持ち易い簡易うちわ（特許文献１）や、団扇の一部に親指以外の指を入れるための穴と、物を挟み込む為の複数の切込み線やポケットを設け、また団扇の中心付近に折り目を設けて二つに折たためる団扇（特許文献２）や、二枚羽のうちわ（特許文献３）などが知られている。さらに本発明の発明者によりシート式団扇が特許出願中である。
【特許文献１】特許公開平８−１９１７０５号公報
【特許文献２】特許公開２００３−６１７２６号公報
【特許文献３】特許公開２００３−２７５００８号公報
【発明の開示】
【発明が解決しようとする課題】
【０００３】  そのために次のような問題点があった。
（イ）従来の竹、又は樹脂製の骨組に紙を貼った団扇は構造が複雑である。
（ロ）円形厚紙に円形の指通し穴を設けた団扇などの紙製団扇は簡便ではあるが、扇ぐために必要な強度を得るためには、ある程度の本体の厚さを必要とする。そのため本体が薄い素材の場合、団扇全体の強度が足りず扇ぐたびに団扇全体が風の抵抗を受けてしなり、団扇で風を生み出す機能を発揮できない。
（ハ）従来の団扇は折りたたみが不可能な構造のものがほとんどで、ポケットやバッグ等に収納するのに不向きである。
（ニ）本発明の発明者により出願中のシート式団扇は、組立方が面倒でわかりにくい。
本発明は、これらの問題を解決するためになされたものである。
【課題を解決するための手段】
【０００４】  可撓性シートからなる本体下部に、上方に向け開口部を設けたポケット状の把手を設け、把毛の上辺に挿入舌を設け、本体に挿入孔を設け、挿入孔に挿入舌を挿入することにより湾曲した本体形状を固定し、且つ立体的に組み上がる把手部を形成した。以上よりなるポケット把手式シート団扇である。
【発明の効果】
【０００５】  一枚の可撓性樹脂シート又は紙からなる簡便なうちわであり、三つ折りにしてコンパクトに折り畳む事が可能な構造のため携帯・収納性に優れる。三つ折りを広げた後、親指一本で湾曲状態に組立て可能な構造で、弓状山型に立体化した把手が手に持ち易く、且つ本体が弓状山型に立体化した把手と共に湾曲しているため強度が保たれ扇ぎ易い。また本体の折り目は扇ぐための強度に影響せず、シートに円形の指通し穴を設けた従来の紙製団扇と比較し、本体の厚さが半分以下でも充分扇ぐための強度がある。また組立後湾曲した把手は右手・左手とどちらでも持ち易くなっている。
【発明を実施するための最良の形態】  以下、本発明の実施の形態を説明する。【０００６】  本発明は、可撓性樹脂シート又は紙からなる略円形状の本体（１）下部を基端部（２）とし、基端部（２）より右斜下方向に長尺状に張出した把手部（３）を逆方向に折曲し、一方の辺を本体（１）下左辺に結合し、上方に向け開口部（４）を設けたポケット状の把手部（３）を形成し、把手部（３）の上辺の中央部に設けた挿入舌（５）を本体下部中央の挿入孔（６）に挿入することにより、横断面が弓状に湾曲した本体形状を固定し、且つ弓状山型に立体的に組み上がる把手部（３）を形成したことを特徴とするポケット把手式シート団扇の発明である。
【実施例１】
【０００７】  （イ）可撓性樹脂シート又は紙からなる略円形状の本体（１）の下部を基端部（２）とし、基端部（２）より右斜下方向に向け長尺状に張出した把手部（３）を設け、把手部（３）の右側縁中央に挿入舌（５ａ）を設け、把手部（３）の右側縁先端に切欠き部（７）を設け、把手部（３）中央に縦長状に湾曲した弓状の折目（８ａ）を設ける。
（ロ）本体（１）から基端部（２）までを上下に三分割するように、本体（１）中央上側に折目（８ｂ）を水平に設け、本体（１）中央下側に折目（８ｃ）を水平に設け、基端部（２）から右斜上方向に向け折目（８ｄ）を設ける。
（ハ）折目（８ｃ）の下部左側に円弧が下側を向くように半円状の切込み（９ａ）を設け留弁（１０ａ）を形成し、折目（８ｃ）の下部右側に円弧が下側を向くように半円状の切込み（９ｂ）を設け留弁（１０ｂ）を形成し、留弁（１０ａ）留弁（１０ｂ）の中央下側に弧が下側を向くように緩やかな弓状の挿入孔（６ａ）を設ける。
（ニ）把手部（３）を折目（８ｄ）に沿って正面に折曲し、下方の辺を本体（１）下左辺に結合し、上方に向け開口部（４）を設けたポケット状の把手部（３）を形成する。このとき本体（１）の素材がＰＰシート等の可撓性樹脂の場合、結合手段として溶着法を用い、本体（１）の素材が紙の場合接着剤により接着する。その他糸等を用いて縫着する方法や、粘着テープを用いて結合する方法、ステープラー等の金具を用いて固定する方法も可能である。
（ホ）（ニ）に於いて形成された把手部（３）を、図５に示すように折目（８ａ）を頂点としてわずかに盛り上がるように折りグセをつける。
（ヘ）本体（１）の上端に穴（１１）を設ける。
本発明は以上の構成からなっている。
本発明を使用するときは、図６に示すように把手部（３）を手（１２）で持ち、挿入舌（５ａ）を把手部（３）ごと親指（１３）で下方に向けて摺動させ、図１に示すように  挿入舌（５ａ）を挿入孔（６ａ）に挿入する。このとき本体（１）の横断面は図２に示すように弓状に湾曲し、把手部（３）は折目（８ａ）を尾根とした弓状の山型に立体化する構造となるため、本体（１）が薄い素材で形成されている場合でも扇ぐための強度が保たれ、且つ手（１１）で持ち易く扇ぎ易い構造となっている。また、穴（１１）をフック等に引っ掛け、本体（１）を釣り下げる事が可能な構造となっている。さらに図４の状態から、図８に示すように折目（８ｂ）折目（８ｃ）を正面に折曲し、図９に示すように留弁（１０ａ）留弁（１０ｂ）に本体（１）左右上端を咬止することにより、本体（１）を三つ折りにし封筒状に折り畳むことが可能な構造となっている。また、薄いＰＰシートなどの可撓性樹脂シートにより本体（１）を構成したものは、筒状に丸めて収納することも可能な構造となっている。
【実施例２】
【０００８】  （イ）可撓性樹脂シート又は紙からなる略円形状の本体（１）の下部を基端部（２）とし、基端部（２）より右斜下方向に向け長尺状に張出した把手部（３）を設け、把手部（３）の右側縁中央に挿入舌（５ａ）を設け、把手部（３）の右側縁先端に切欠き部（７）を設け、把手部（３）下辺先端に挿入舌（５ｂ）を設け、把手部（３）下辺中央に挿入舌（５ｃ）を設け、把手部（３）中央に縦長状に湾曲した弓状の折目（８ａ）を設け、把手部（３）下辺内側に下辺と平行して折目（８ｅ）を設ける。
（ロ）本体（１）から基端部（２）までを上下に三分割するように、本体（１）中央上側に折目（８ｂ）を水平に設け、本体（１）中央下側に折目（８ｃ）を水平に設け、基端部（２）から右斜上方向に向け折目（８ｄ）を設ける。
（ハ）折目（８ｃ）の下部左側に円弧が下側を向くように半円状の切込み（９ａ）を設け留弁（１０ａ）を形成し、折目（８ｃ）の下部右側に円弧が下側を向くように半円状の切込み（９ｂ）を設け留弁（１０ｂ）を形成し、留弁（１０ａ）留弁（１０ｂ）の中央下側に弧が下側を向くように緩やかな弓状の挿入孔（６ａ）を設け、本体（１）の左下辺の内側に左下辺と平行して挿入孔（６ｂ）挿入孔（６ｃ）を間隔を開け直列して設ける。
（ニ）把手部（３）を折目（８ｄ）から正面に折曲し、さらに把手部（３）を折目（８ｅ）から裏面に折曲し、挿入舌（５ｂ）を挿入孔（６ｂ）に挿入し、挿入舌（５ｃ）を挿入孔（６ｃ）に挿入し上方に向け開口部（４）を設けたポケット状の把手部（３）を形成する。
（ホ）（ニ）に於いて形成された把手部（３）を、図５に示すように折目（８ａ）を頂点としてわずかに盛り上がるように折りグセをつける。
（ヘ）本体（１）の上端に穴（１１）を設ける。
本発明は以上の構成からなっている。
本発明を使用するときは、図６に示すように把手部（３）を手（１２）で持ち、挿入舌（５ａ）を把手部（３）ごと親指（１３）で下方に向けて摺動させ、図１に示すように  挿入舌（５ａ）を挿入孔（６ａ）に挿入する。このとき本体（１）の横断面は図２に示すように弓状に湾曲し、把手部（３）は折目（８ａ）を尾根とした弓状の山型に立体化する構造となるため、本体（１）が薄い素材で形成されている場合でも扇ぐための強度が保たれ、且つ手（１１）で持ち易く扇ぎ易い構造となっている。また、穴（１１）をフック等に引っ掛け、本体（１）を釣り下げる事が可能な構造となっている。さらに図１１の状態から、図１３に示すように折目（８ｂ）折目（８ｃ）を正面に折曲し、図１４に示すように留弁（１０ａ）留弁（１０ｂ）に本体（１）左右上端を咬止することにより、本体（１）を三つ折りにし封筒状に折り畳むことが可能な構造となっている。また、薄いＰＰシートなどの可撓性樹脂シートにより本体（１）を構成したものは、筒状に丸めて収納することも可能な構造となっている。
【図面の簡単な説明】
【０００９】
【図１】本発明の使用状況を示す斜視透視図
【図２】本発明のＡ−Ａ端面図
【図３】本発明の展開図
【図４】本発明の正面透視図
【図５】本発明のＢ−Ｂ端面図
【図６】本発明の使用状況を示す斜視図
【図７】本発明の使用状況を示す側面透視図
【図８】本発明の使用状況を示す斜視透視図
【図９】本発明の使用状況を示す斜視透視図
【図１０】本発明の他の実施例の展開図
【図１１】本発明の他の実施例の正面透視図
【図１２】本発明の他の実施例の使用状況を示す側面透視図
【図１３】本発明の他の実施例の使用状況を示す斜視透視図
【図１４】本発明の他の実施例の使用状況を示す斜視透視図
【符号の説明】
【００１０】１  本体
２  基端部
３  把手部
４  開口部
５  挿入舌
６  挿入孔
７  切欠き部
８  折目
９  切込み
１０  留弁
１１  穴
１２  手
１３  親指
１４  溶着部
【図１】
2010035997.tif 000003
【図２】
2010035997.tif 000004
【図３】
2010035997.tif 000005
【図４】
2010035997.tif 000006
【図５】
2010035997.tif 000007
【図６】
2010035997.tif 000008
【図７】
2010035997.tif 000009
【図８】
2010035997.tif 000010
【図９】
2010035997.tif 000011
【図１０】
2010035997.tif 000012
【図１１】
2010035997.tif 000013
【図１２】
2010035997.tif 000014
【図１３】
2010035997.tif 000015
【図１４】
2010035997.tif 000016